(57)【要約】【課題】電子機器の筐体にフック機構よって取外し自在に取付けた外装パネルにおいて振動によって発生する異常音の発生を防止することのできる電子機器を提供する。【解決手段】外装パネル１３２を電子機器の筐体１１にフック機構１５によって取付けた状態で、外装パネル１３２の裏面と筐体１１の表面との間に弾性体１６を介在させて構成した。外装パネル１３２は裏面プレート１３６を備え、該外装パネル１３２にはスイッチに対応する位置に開口部が形成され、該裏面プレート１３６にはスイッチに対応する位置に開口部が形成されると共に前記スイッチに対応しない位置に複数の貫通孔が形成され、外装パネル１３２と裏面プレート１３６との間には弾性シート１８が介挿され、操作ボタンは前記開口部において弾性シート１８を膨出して形成し、弾性体１６は前記貫通孔において弾性シート１８を突出して形成されている【選択図】図３
2010076638.tif 000002
【特許請求の範囲】
【請求項１】
外装パネルを電子機器の筐体に取外し自在に取付けた電子機器であって、
前記外装パネルの裏面と前記筐体の表面との間に弾性体を介在させて構成したことを特徴とする電子機器。
【請求項２】
前記筐体はスイッチを有し、
前記外装パネルは前記スイッチに対応する位置に操作ボタンを有して構成したことを特徴とする請求項１に記載の電子機器。
【請求項３】
前記筐体はスイッチを有し、
前記外装パネルは裏面プレートを備え、該外装パネルには前記スイッチに対応する位置に開口部が形成され、該裏面プレートには前記スイッチに対応する位置に開口部が形成されると共に前記スイッチに対応しない位置に複数の貫通孔が形成され、
前記外装パネルと前記裏面プレートとの間には弾性シートが介挿され、
前記操作ボタンは前記開口部において前記弾性シートを膨出して形成し、
前記弾性体は前記貫通孔において前記弾性シートを突出して形成されていることを特徴とする請求項１に記載の電子機器。
【発明の詳細な説明】
【技術分野】
【０００１】
本発明は、外装パネルを電子機器の筐体にフック機構よって取外し自在に取付けた電子機器に関し、特に、車載される電子機器のように、振動を受ける状態で使用される電子機器に関するものである。
【背景技術】
【０００２】
近年、携帯電話機、携帯ナビケーション装置などの小型で取扱いに便利な電子機器が普及している。このような電子機器はファッション感覚で使用されている。そこで、季節、時間帯、使用箇所などにより外観の色彩、模様などを変更することが望まれている。
【０００３】
この要望を満たすために、例えば、下記の特許文献１（特開２００５−２２３１９２号公報）で示す従来技術がある。この従来技術は、携帯電話機のフロントケースの液晶表示側に嵌め込まれた第一外装パネルと、フロントケースの操作キー側に嵌めこまれた第二外装パネルとを有するものである。この第一及び第二外装パネルは取付け取外しが自在で、外装パネルを他の外装パネルに交換可能になっている。
【０００４】
上記取付け取外しのための具体的な構成は、第一及び第二外装パネルに設けた係止爪がフロントケースに設けた係止爪に係合するようになっており、また、第一及び第二外装パネルに設けた爪がフロントケースの裏側面と係合するようになっている。更に、フロントケースには第一及び第二外装パネルの取外し用の凹部が形成されている。その結果、第一及び第二外装パネルは係止爪、爪などの係合によりフロントケースに取付けられる。そして、第一及び第二外装パネルをフロントケースから取外す場合は、取外し用の凹部に取外し冶具を当接させて係止爪、爪などの係合状態を解除すことによって行なう。
【０００５】
従って、第一及び第二外装パネルは、フロントケースにフック機構により取付け取外し自在になっているので、色、模様などの異なる外装パネルとの変更が可能になる。
【特許文献１】特開２００５−２２３１９２号公報（段落［００２０］、段落［００２２］〜段落［００２９］、段落［００３５］、図４）
【発明の開示】
【発明が解決しようとする課題】
【０００６】
しかしながら、従来の電子機器においては、外装パネルがフック機構により電子機器の筐体に取外し自在に取付けられているので、外装パネルと筐体との間にガタや反りによる間隙を生じてしまう。そのため、電子機器が車載用の場合は振動を受けるとビリつきにより異常音を発生するという問題点があった。勿論、外装パネルを複数個のネジによって筐体に取付ける方法を用いて異常音の発生を防止することが考えられる。しかし、この方法にあっては、外装パネルの着脱の作業が面倒であるだけでなく、複数のネジの頭が外装パネル表面に現れ美観を損ねてしまう。従って、このようなネジを用いて着脱する方法は適用することができなかった。
【０００７】
そこで、本発明は、上記の問題点を解消することを課題とし、フック機構によって外装パネルを筐体に取外し自在に取付けた電子機器において、振動を受けても異常音が発生しない電子機器を提供することを目的とするものである。
【課題を解決するための手段】
【０００８】
前記課題を解決するため、本願の請求項１に係る発明は、
外装パネルを電子機器の筐体に取外し自在に取付けた電子機器であって、
前記外装パネルの裏面と前記筐体の表面との間に弾性体を介在させて構成したことを特徴とする。
【０００９】
また、本願の請求項２に係る発明は、請求項１に係る電子機器において、
前記筐体はスイッチを有し、
前記外装パネルは前記スイッチに対応する位置に操作ボタンを有して構成したことを特徴とする。
【００１０】
また、本願の請求項３に係る発明は、請求項１に係る電子機器において、前記筐体はスイッチを有し、
前記外装パネルは裏面プレートを備え、該意匠パネルには前記スイッチに対応する位置に開口部が形成され、該裏面プレートには前記スイッチに対応する位置に開口部が形成されると共に前記スイッチに対応しない位置に複数の貫通孔が形成され、
前記外装パネルと前記裏面プレートとの間には弾性シートが介挿され、
前記操作ボタンは前記開口部において前記弾性シートを膨出して形成し、
前記弾性体は前記貫通孔において前記弾性シートを突出して形成されていることを特徴とする。
【発明の効果】
【００１１】
本発明の電子機器は、次に示すような優れた効果を奏する。
【００１２】
すなわち、請求項１に係る発明においては、電子機器は、電子機器の筐体が振動を受けて外装パネルにビリつきを発生させても、外装パネルと筐体間に弾性体が介在されているので、ビリつきによる異常音を発生しない電子機器を提供できる。
【００１３】
また、請求項２に係る発明においては、請求項１に係る電子機器において、外装パネルにはスイッチを操作する操作ボタンを有しているので、予め用意した各種の意匠のものから好みの意匠の操作ボタンを選択して筐体に取付けることができる電子機器を提供できる。
【００１４】
また、請求項３に係る発明においては、請求項１に係る電子機器において、外装パネルには複数のスイッチを操作する操作ボタンを有しているので、予め用意した各種の意匠のものから好みの意匠の操作ボタンを選択して筐体に取付けることができる。そして、複数の操作ボタンが外装パネルと裏面プレートとの間に介挿された弾性シートを開口部より膨出して形成されると共に、弾性体が弾性シートを貫通孔から突出して形成されているので、複数の操作ボタンと複数の弾性体を一体に成型した構成の簡単な電子機器を提供できる。
【発明を実施するための最良の形態】
【００１５】
以下、本発明の具体例を実施例及び図面を用いて詳細に説明する。但し、以下に示す実施例は、本発明の技術思想を具体化するための電子機器を例示するものであって、本発明をこの電子機器に特定することを意図するものではなく、特許請求の範囲に含まれるその他の実施形態の電子機器にも等しく適用し得るものである。
【実施例】
【００１６】
図１は、本発明の一実施例に係る電子機器を正面から見た斜視図、図２は、図１において外装パネルを筐体から取外した状態を示す斜視図、図３は、図２における外装パネルを背面方向から見た斜視図、図４は、図３における外装パネルを分解した斜視図、図５は、本発明の一実施例に係る電子機器に適用された弾性シートの側面図である。
【００１７】
本実施例に係る電子機器１０は、図１で示すように、矩形で扁平状の筐体１１と、筐体１１の前面に設けられたタッチパネル式の表示部１２と、筐体１１の前面における表示部１２の右側に配置された第一操作部１３と、筐体１１の前面における表示部１２の下側に配置された第二操作部１４とを備えている。
【００１８】
第一操作部１３は、図２で示すように、筐体１１の右側に縦方向に並んで配置された３個のスイッチ１３１と、スイッチ１３１部分と筐体１１の側面とを覆う外装パネル１３２と、外装パネル１３２のスイッチ１３１に対応した位置に設けられた操作ボタン１３３とからなる。ここで、外装パネル１３２は、スイッチ１３１部分を覆う前面パネル１３２ａと筐体１１の側面を覆う側面パネル１３２ｂとからなり、硬質樹脂材で成型され色彩が施されている。また、操作ボタン１３３には機能を示すマーク、所定の色彩が施されている。
【００１９】
筐体１１の側面には一対の案内溝１１１が形成されている。外装パネル１３２の側面パネル１３２ｂには、図３に示すように、案内溝１１１に係合する一対の係合片１３４が形成されている。また、前面パネル１３２ａの裏面には一対の突起１３５が形成され、この突起１３５に対応する筐体１１側には突起１３５が嵌合する一対の穴１１２が形成されている。
【００２０】
側面パネル１３２ｂの裏面中央部分にはフック１５１が形成され、筐体１１の側面中央にはフック１５１が係止される凹部１５２が形成されており、これらフック１５１と凹部１５２とによってフック機構１５が構成されている。このフック機構１５は側面パネル１３２ｂが撓み易く薄く形成されていることにより、係止状態が解除し易く設定されている。
【００２１】
図３、図４で示すように、外装パネル１３２の前面パネル１３２ａの裏面には、互いに離間して４個の弾性体１６が筐体１１に向かって突出して配置されている。この複数の弾性体１６は、外装パネル１３２が筐体１１に取付けられているときに外装パネル１３２と筐体１１との間に介在された状態になっている。即ち、外装パネル１３２は弾性体１６によって筐体１１に直接に接しない状態で取付けられている。
【００２２】
外装パネル１３２は、図３、図４で示すように、前面パネル１３２ａ部分において、裏面プレート１３６が備えられている。この外装パネル１３２を構成する前面パネル１３２ａにはスイッチ１３１に対応した位置に開口１７１が形成されている。一方、裏面プレート１３６にはスイッチ１３１に対応した位置に開口１７２が形成されると共に、スイッチ１３１に対応しない位置に間隔をおいて複数の貫通孔１７３が形成されている。
【００２３】
外装パネル１３２は、その前面パネル１３２ａにおいて側壁１３２ｃを有し、この側壁１３２ｃに複数の係止穴１３７が形成されている。また、側面パネル１３２ｂの内側中央には係止突起１３８が形成されている。一方、裏面プレート１３６には係止穴１３７に対応する位置に係止穴１３７に挿入可能な係止爪１３９が形成されている。
【００２４】
図４、図５で示す弾性シート１８は、裏面プレート１３６と略同じ面積であって合成樹脂性の弾性材からなる。そして、この弾性シート１８は、開口１７１と開口１７２とに対応する位置において膨出され操作ボタン１３３が形成され、貫通孔１７３に対応する位置において突出して弾性体１６が形成されている。
【００２５】
上述した一実施例における電子機器１０の外装パネル１３２部分の組立について図３、図４に基づいて説明する。
【００２６】
まず、外装パネル１３２の前面パネル１３２ａの裏側に、間に弾性シート１８を置いて裏面プレート１３６を位置させる。そして、弾性シート１８を介挿した状態で裏面プレート１３６を外装パネル１３２に取付ける。この取付けは裏面プレート１３６の係止爪１３９を外装パネル１３２の係止穴１３７に挿入し、裏面プレート１３６の縁を係止突起１３８に係止して行なう。この取付けの際には、操作ボタン１３３を開口１７１、１７２に位置させ、弾性体１６を貫通孔１７３に位置させる。
【００２７】
その結果、外装パネル１３２は裏側に裏面プレート１３６が弾性シート１８を介挿した状態で取付けられ、開口１７１、１７２から弾性シート１８を膨出した状態で操作ボタン１３３が形成され、開口１７３から弾性シート１８が突出した状態で弾性体１６が形成されている。
【００２８】
次に、上記組立によって形成された外装パネル１３２を筐体１１に着脱する方法について説明する。
【００２９】
まず、外装パネル１３２を筐体１１に取付ける場合は、外装パネル１３２を筐体１１の前面に持って来て係合片１３４を案内溝１１１に係合させる。そして、外装パネル１３２を筐体１１の側面をスライドさせ、フック１５１を凹部１５２に当てる。その後、外装パネル１３２を強く押し付けることによりフック１５１を凹部１５２に係止させる。
【００３０】
その結果、外装パネル１３２は筐体１１に取付けられフック機構１５によって取付け状態が維持される。このとき、突起１３５が穴１１２に嵌合して位置合わせが取られている。
そして、電子機器１０は、外装パネル１３２を備えた状態となり操作ボタン１３３による操作が可能になる。
【００３１】
操作ボタン１３３は、外装パネル１３２を筐体１１に取付けた状態において上面が押圧されて圧縮されると裏面で更に膨出する。そして、膨出した部分がスイッチ１３１を押してこれを作動させる。この押圧を解除すると操作ボタン１３３の形状は弾性力によって原形状に復帰するので、スイッチ１３１が押された状態から解除されるようになっている。
【００３２】
次に、外装パネル１３２を筐体１１から取外す場合は、側面パネル１３２ｂを撓ませてフック１５１と凹部１５２との係止状態を解除して外装パネル１３２を筐体１１の前方にスライドさせる。その結果、係合片１３４が案内溝１１１から離脱することにより、外装パネル１３２は筐体１１から取外される。
【００３３】
従って、上述した本発明の一実施例によれば、第一操作部１３において外装パネル１３２を備える電子機器１０は、外装パネル１３２がフック機構１５により筐体１１に着脱自在に取付けられるので、色彩、模様などの異なった外装パネル１３２を予め用意して好みに応じたものを選択して用いることができる。しかも、筐体１１はスイッチ１３１を有し、外装パネル１３２はスイッチ１３１を操作する操作ボタン１３３を有している。そのため、形状、色彩などからなる各種の意匠を施した操作ボタン１３３を予め用意し、その中から好みの意匠の操作ボタン１３３を設けた外装パネル１３２を選択して筐体１１に取付けることができる。そして、外装パネル１３２の取付け状態はフック機構１５によって確実に維持される。
【００３４】
また、この電子機器１０が車両に搭載されて使用する場合には、車両から振動を受けるので外装パネル１３２がビリつくが筐体１１との間に介在する複数の弾性体１６によって外装パネル１３２の裏面と筐体１１とが直接に当たらずビリつきによる異常音を発生させない。特に、外装パネル１３２は平面的に筐体１１に接するので、フック機構１５によって部分的に固定しても、反りにより外装パネル１３２と筐体１１との間に間隙が生じてビリつきを発生するが、この間隙に弾性体１６が介在するので異常音を発生させない。同様に、取付けられている状態でガタが生じても異常音を発生させない。即ち、単一のフック機構１５を用いて外装パネル１３２の着脱を容易にしても異常音を発生させない。
【００３５】
また、外装パネル１３２は前面パネル１３２ａと裏面プレート１３６をその間に弾性シート１８を挟んで積層したものである。そして、弾性シート１８は前面パネル１３２ａに形成した開口１７１と裏面プレート１３６に形成した開口１７２とにおいて弾性シート１８自体を膨出させて複数の操作ボタン１３３を形成すると共に、裏面プレート１３６に形成した貫通孔１７３において弾性シート１８自体を突出させて弾性体１６を形成している。そのため、複数の操作ボタン１３３と弾性体１６は一体に成型して形成でき、その製作が容易となる。特に、小さな弾性体１６は貫通孔１７３から突出させるだけでよいので、個々に接着などで固定する必要がなく簡単な作業で組み込みができる。
【００３６】
なお、本発明の一実施例においては、外装パネル１３２は操作ボタン１３３を有するものであるが、本発明はこのような外装パネルに限定されることなく操作ボタン１３３が配置されていない、例えば表示部１２周辺のパネルに適用したものであってもよい。
【００３７】
また、本発明の電子機器１０は、本体とモニターとを一体にした車載用ナビケーション装置である電子機器であってもよく、また、携帯型などの振動を受けやすい各種の電子機器にも適用できる。
【００３８】
なお、本発明の一実施例においては、弾性体１６は弾性シート１８によって操作ボタン１３３と一体に形成したが、本発明はこれに限定されることなく、例えば、弾性体１６は単独で外装パネル１３２の裏面に接着して設けるようにしてもよい。
【図面の簡単な説明】
【００３９】
【図１】本発明の一実施例に係る電子機器を正面から見た斜視図である。
【図２】本発明の一実施例に係る電子機器において外装パネルを取外した状態を示す斜視図である。
【図３】図２における外装パネルを背面方向から見た斜視図である。
【図４】図３における外装パネルを分解した斜視図である。
【図５】本発明の一実施例に係る電子機器に適用された弾性シートの側面図である。
【符号の説明】
【００４０】
１０・・・・電子機器
１１・・・・筐体
１２・・・・表示部
１３・・・・第一操作部
１４・・・・第二操作部
１５・・・・フック機構
１６・・・・弾性体
１８・・・・弾性シート
１１１・・・案内溝
１１２・・・穴
１３１・・・スイッチ
１３２・・・外装パネル
１３２ａ・・前面パネル
１３２ｂ・・側面パネル
１３２ｃ・・側枠
１３３・・・操作ボタン
１３４・・・係合片
１３５・・・突起
１３６・・・裏面プレート
１３７・・・係止孔
１３８・・・係止突起
１３９・・・係止爪
１５１・・・フック
１５２・・・凹部
１７１・・・開口
１７２・・・開口
１７３・・・貫通孔
【図１】
2010076638.tif 000003
【図２】
2010076638.tif 000004
【図３】
2010076638.tif 000005
【図４】
2010076638.tif 000006
【図５】
2010076638.tif 000007